(57)【要約】【課題】運転開始の時点や情報を必要と判断した時点で、利用者の嗜好ジャンルに応じた適切な範囲内の施設の情報を提供する。【解決手段】車両が訪問した施設の訪問履歴情報を日時情報取得部１２で取得した日時情報と移動所要情報と施設ジャンルと共に施設訪問履歴蓄積部１４に蓄積し、日時情報取得部１２で取得した現在の日時情報と施設訪問履歴蓄積部１４に蓄積した訪問履歴情報とに基づき現在嗜好ジャンル判定部１５が利用者の現在の嗜好ジャンルを判定する。判定された現在の嗜好ジャンルとその嗜好ジャンルに対して利用者が移動に許容できる移動許容範囲と位置情報取得部１１で取得した現在位置情報とに基づいて地図施設情報格納部１３に格納された施設から現在の嗜好条件に適応した施設を施設選択部１６が選択し、選択された施設の情報を情報出力部１７より出力する。【選択図】  図１
2005010080.tif 000002
【特許請求の範囲】
【請求項１】
移動体に搭載し、日時情報を取得する日時情報取得手段と、前記移動体の現在位置情報を取得する位置情報取得手段と、施設の情報を前記施設のジャンルを示す施設ジャンルと共に格納した施設情報格納手段と、前記移動体が訪問した施設の訪問履歴情報を訪問した日時情報と移動所要情報と共に蓄積する施設訪問履歴蓄積手段と、前記日時情報取得手段で取得した現在の日時情報と前記施設訪問履歴蓄積手段に蓄積した訪問履歴情報とに基づき利用者の現在の嗜好ジャンルと前記現在の嗜好ジャンルに対し前記利用者が移動に許容できる移動許容範囲とを判定する現在嗜好ジャンル判定手段と、前記現在嗜好ジャンル判定手段が判定した現在の嗜好ジャンルと移動許容範囲と前記位置情報取得手段で取得した現在位置情報とに基づいて前記施設情報格納手段に格納された施設から現在の嗜好条件に適応した施設を選択する施設選択手段と、前記施設選択手段で選択された施設の情報を利用者に出力する情報出力手段と、を備えたことを特徴とする情報提示装置。
【請求項２】
前記移動所要情報は、前記訪問した施設への移動時間と、前記訪問した施設への移動距離の少なくとも一つを含み、前記移動許容範囲は、前記現在の嗜好ジャンルで移動に許容できる移動時間と、移動に許容できる移動距離の少なくとも一つを含むことを特徴とする請求項１記載の情報提示装置。
【請求項３】
前記利用者が操作可能な入力手段を含み、前記入力手段により前記嗜好ジャンルを設定、あるいは変更することができることを特徴とする請求項１または請求項２記載の情報提示装置。
【請求項４】
移動体に搭載した情報提示装置と、前記情報提示装置に情報を提供するセンタとを含む情報提供システムであって、
前記情報提示装置は、日時情報を取得する日時情報取得手段と、前記移動体の現在位置情報を取得する位置情報取得手段と、前記移動体が訪問した施設の訪問履歴情報を訪問した日時情報と移動所要情報と共に蓄積する施設訪問履歴蓄積手段と、前記日時情報取得手段で取得した現在の日時情報と前記施設訪問履歴蓄積手段に蓄積した訪問履歴情報とに基づき利用者の現在の嗜好ジャンルと前記現在の嗜好ジャンルに対し前記利用者が移動に許容できる移動許容範囲とを判定する現在嗜好ジャンル判定手段と、前記現在嗜好ジャンル判定手段で判定された現在の嗜好ジャンルと移動許容範囲と前記位置情報取得手段で取得した現在位置情報とを前記センタに送信する情報提示装置側送信手段と、前記センタからの情報を受信する情報提示装置側受信手段と、各種情報を前記利用者に出力する情報出力手段と、を備え、
前記センタは、施設の情報を前記施設のジャンルを示す施設ジャンルと共に格納した施設情報格納手段と、前記情報提示装置側送信手段が送信した現在の嗜好ジャンルと移動許容範囲と現在位置情報とを受信するセンタ側受信手段と、前記センタ側受信手段が受信した現在の嗜好ジャンルと移動許容範囲と現在位置情報とに基づいて前記施設情報格納手段に格納された施設から現在の嗜好条件に適応した施設を選択する施設選択手段と、前記施設選択手段で選択された施設の情報を前記情報提示装置に送信するセンタ側送信手段と、を備え、
前記情報提示装置は、前記センタが送信した施設の情報を受信して前記情報出力手段で出力することを特徴とする情報提供システム。
【請求項５】
移動体に搭載した情報提示装置と、前記情報提示装置に情報を提供するセンタとを含む情報提供システムであって、
前記情報提示装置は、日時情報を取得する日時情報取得手段と、前記移動体の現在位置情報を取得する位置情報取得手段と、前記移動体が訪問した施設の訪問履歴情報を訪問した日時情報と移動所要情報と共に蓄積する施設訪問履歴蓄積手段と、前記日時情報取得手段で取得した現在の日時情報と前記施設訪問履歴蓄積手段に蓄積した訪問履歴情報とに基づき利用者の現在の嗜好ジャンルを判定する現在嗜好ジャンル判定手段と、前記現在嗜好ジャンル判定手段で判定された現在の嗜好ジャンルと前記位置情報取得手段で取得した現在位置情報と前記移動所要情報とを前記センタに送信する情報提示装置側送信手段と、前記センタからの情報を受信する情報提示装置側受信手段と、各種情報を前記利用者に出力する情報出力手段と、を備え、
前記センタは、施設の情報を前記施設のジャンルを示す施設ジャンルと共に格納した施設情報格納手段と、前記情報提示装置側送信手段が送信した現在の嗜好ジャンルと移動許容範囲と現在位置情報と移動所要情報とを受信するセンタ側受信手段と、前記センタ側受信手段が受信した移動所要情報をあらかじめ定めた地域別に記憶する地域別嗜好条件記憶手段と、前記センタ側受信手段が受信した現在の嗜好ジャンルと現在位置情報と前記地域別嗜好条件記憶手段に記憶された地域別嗜好条件とに基づいて前記施設情報格納手段に格納された施設から現在の嗜好条件に適応した施設を選択する施設選択手段と、前記施設選択手段で選択された施設の情報を前記情報提示装置に送信するセンタ側送信手段と、を備え、
前記情報提示装置は、前記センタが送信した施設の情報を受信して前記情報出力手段で出力することを特徴とする情報提供システム。
【請求項６】
前記移動所要情報は、前記訪問した施設への移動時間と、前記訪問した施設への移動距離の少なくとも一つを含み、前記移動許容範囲は、前記現在の嗜好ジャンルで移動に許容できる移動時間と、移動に許容できる移動距離の少なくとも一つを含むことを特徴とする請求項４または請求項５記載の情報提供システム。
【請求項７】
前記情報提示装置が、前記利用者の操作可能な入力手段を含み、前記入力手段により前記嗜好ジャンルを設定、あるいは変更することができることを特徴とする請求項４乃至請求項６記載の情報提供システム。
【請求項８】
移動体に搭載し、日時情報を取得する日時情報取得手段と、前記移動体の現在位置情報を取得する位置情報取得手段と、前記移動体が訪問した施設の訪問履歴情報を訪問した日時情報と移動所要情報と共に蓄積する施設訪問履歴蓄積手段と、前記日時情報取得手段で取得した現在の日時情報と前記施設訪問履歴蓄積手段に蓄積した訪問履歴情報とに基づき利用者の現在の嗜好ジャンルと前記現在の嗜好ジャンルに対し前記利用者が移動に許容できる移動許容範囲とを判定する現在嗜好ジャンル判定手段と、前記現在嗜好ジャンル判定手段で判定された現在の嗜好ジャンルと移動許容範囲と前記位置情報取得手段で取得した現在位置情報とを他の装置に送信する送信手段と、前記他の装置からの情報を受信する受信手段と、各種情報を前記利用者に出力する情報出力手段と、を備え、前記現在嗜好ジャンル判定手段で判定された現在の嗜好ジャンルと移動許容範囲と前記位置情報取得手段で取得した現在位置情報とに基づき、前記他の装置が選択した施設の情報を前記他の装置から受信して、前記情報出力手段から出力することを特徴とする情報提示装置。
【請求項９】
施設の情報を前記施設のジャンルを示す施設ジャンルと共に格納した施設情報格納手段と、各種情報を利用者に提示する情報提示装置からの利用者の現在の嗜好ジャンルと移動許容範囲と現在位置情報とを受信する受信手段と、前記受信手段が受信した利用者の現在の嗜好ジャンルと移動許容範囲と現在位置情報とに基づいて前記施設情報格納手段に格納された施設から現在の嗜好条件に適応した施設を選択する施設選択手段と、前記施設選択手段で選択された施設の情報を前記情報提示装置に送信する送信手段とを備えたことを特徴とするセンタ。
【発明の詳細な説明】
【０００１】
【発明の属する技術分野】
本発明は、過去の施設訪問履歴情報に基づいて、現在の利用者にとって有益な施設情報を提示する情報提示装置、センタ及び情報提供システムに関する。
【０００２】
【従来の技術】
従来の情報提示装置、センタ及び情報提供システムとしては、走行履歴データおよび各地点の利用に関する情報にもとづいて、運転者の所望する目的地や経路を運転者の嗜好に応じて自動的に設定することで、運転者の負担を軽減するものが知られている（たとえば特許文献１参照）。
【０００３】
【特許文献１】
特開２００１−１２９６３号公報（第５−９頁、第１図）
【０００４】
【発明が解決しようとする課題】
しかしながら、従来の特許文献１の構成では、走行履歴により導き出された嗜好に基づく情報の提供が、利用者の嗜好ジャンルに該当する最寄りの施設を案内しており、例えば、温泉なら半日移動にかかっても行きたいとか、ラーメン店に夜行く場合は、道路が空いているので少々遠方まででも行ってもよいとか、５分以内に行ける郵便局があれば行きたいなど、嗜好ジャンル毎に異なる利用者の移動許容範囲に対応した情報提供がなされないという問題があった。
【０００５】
本発明は、上記従来の問題に鑑みて成されたものであり、運転開始の時点、あるいは、情報が必要と判断した時点で、利用者の嗜好ジャンルに応じた移動許容範囲内の施設情報の提示を行うことを可能とする情報提示装置、センタ及び情報提供システムを提供することを目的とする。
【０００６】
【課題を解決するための手段】
本発明の情報提示装置は、移動体に搭載し、日時情報を取得する日時情報取得手段と、移動体の現在位置情報を取得する位置情報取得手段と、施設の情報を施設のジャンルを示す施設ジャンルと共に格納した施設情報格納手段と、移動体が訪問した施設の訪問履歴情報を訪問した日時情報と移動所要情報と共に蓄積する施設訪問履歴蓄積手段と、日時情報取得手段で取得した現在の日時情報と施設訪問履歴蓄積手段に蓄積した訪問履歴情報とに基づき利用者の現在の嗜好ジャンルと現在の嗜好ジャンルに対し利用者が移動に許容できる移動許容範囲とを判定する現在嗜好ジャンル判定手段と、現在嗜好ジャンル判定手段で判定された現在の嗜好ジャンルと移動許容範囲と位置情報取得手段で取得した現在位置情報とに基づいて施設情報格納手段に格納された施設から現在の嗜好条件に適応した施設を選択する施設選択手段と、施設選択手段で選択された施設の情報を利用者に出力する情報出力手段と、を備えた構成を有している。
【０００７】
この構成により、利用者の現在の嗜好条件に適応した施設を、嗜好するジャンルの施設の近くを走行しなくても、現在の嗜好条件にあった範囲内で選択してその施設の情報を提供することができる。
【０００８】
また、本発明の情報提示装置は、移動所要情報が、訪問した施設への移動時間と、訪問した施設への移動距離の少なくとも一つを含み、移動許容範囲は、現在の嗜好ジャンルで移動に許容できる移動時間と、移動に許容できる移動距離の少なくとも一つを含む構成を有している。
【０００９】
この構成により、施設に移動するのに費やす時間や費やす距離を移動所要情報として蓄積することができ、移動許容範囲として、現在の嗜好ジャンルの施設に行くのに費やしてもよい移動時間や移動距離を利用することができる。
【００１０】
また、本発明の情報提示装置は、利用者が操作可能な入力手段を含み、入力手段により嗜好ジャンルを設定、あるいは変更することができる構成を有している。この構成により、利用者が必要に応じて、嗜好ジャンルを設定したり、変更したりすることができる。
【００１１】
本発明の情報提供システムは、移動体に搭載した情報提示装置と、情報提示装置に情報を提供するセンタとを含む情報提供システムであって、情報提示装置が、日時情報を取得する日時情報取得手段と、移動体の現在位置情報を取得する位置情報取得手段と、移動体が訪問した施設の訪問履歴情報を訪問した日時情報と移動所要情報と共に蓄積する施設訪問履歴蓄積手段と、日時情報取得手段で取得した現在の日情報と施設訪問履歴蓄積手段に蓄積した訪問履歴情報とに基づき利用者の現在の嗜好ジャンルと現在の嗜好ジャンルに対し利用者が移動に許容できる移動許容範囲とを判定する現在嗜好ジャンル判定手段と、現在嗜好ジャンル判定手段で判定された現在の嗜好ジャンルと移動許容範囲と位置情報取得手段で取得した現在位置情報とをセンタに送信する情報提示装置側送信手段と、センタからの情報を受信する情報提示装置側受信手段と、各種情報を利用者に出力する情報出力手段と、を備え、センタが、施設の情報を施設のジャンルを示す施設ジャンルと共に格納した施設情報格納手段と、情報提示装置側送信手段が送信した現在の嗜好ジャンルと移動許容範囲と現在位置情報とを受信するセンタ側受信手段と、センタ側受信手段が受信した現在の嗜好ジャンルと移動許容範囲と現在位置情報とに基づいて施設情報格納手段に格納された施設から現在の嗜好条件に適応した施設を選択する施設選択手段と、施設選択手段で選択された施設の情報を情報提示装置に送信するセンタ側送信手段と、を備え、情報提示装置は、センタが送信した施設の情報を受信して情報出力手段で出力する構成を有している。
【００１２】
この構成により、利用者の現在の嗜好条件に適応した最新の施設情報を、嗜好するジャンルの施設の近くを走行しなくても、現在の嗜好条件にあった範囲内でセンタで選択し、その施設の情報を情報提示装置で利用者に提供することができる。
【００１３】
また、本発明の情報提供システムは、移動体に搭載した情報提示装置と、情報提示装置に情報を提供するセンタとを含む情報提供システムであって、情報提示装置が、日時情報を取得する日時情報取得手段と、移動体の現在位置情報を取得する位置情報取得手段と、移動体が訪問した施設の訪問履歴情報を訪問した日時情報と移動所要情報と共に蓄積する施設訪問履歴蓄積手段と、日時情報取得手段で取得した現在の日時情報と施設訪問履歴蓄積手段に蓄積した訪問履歴情報とに基づき利用者の現在の嗜好ジャンルを判定する現在嗜好ジャンル判定手段と、現在嗜好ジャンル判定手段で判定された現在の嗜好ジャンルと位置情報取得手段で取得した現在位置情報と移動所要情報とをセンタに送信する情報提示装置側送信手段と、センタからの情報を受信する情報提示装置側受信手段と、各種情報を利用者に出力する情報出力手段と、を備え、センタが、施設の情報を施設のジャンルを示す施設ジャンルと共に格納した施設情報格納手段と、情報提示装置側送信手段が送信した現在の嗜好ジャンルと移動許容範囲と現在位置情報と移動所要情報とを受信するセンタ側受信手段と、センタ側受信手段が受信した移動所要情報をあらかじめ定めた地域別に記憶する地域別嗜好条件記憶手段と、センタ側受信手段が受信した現在の嗜好ジャンルと現在位置情報と地域別嗜好条件記憶手段に記憶された地域別嗜好条件とに基づいて施設情報格納手段に格納された施設から現在の嗜好条件に適応した施設を選択する施設選択手段と、施設選択手段で選択された施設の情報を情報提示装置に送信するセンタ側送信手段と、を備え、情報提示装置が、センタの送信した施設の情報を受信して情報出力手段で出力する構成を有している。
【００１４】
この構成により、実際にその地域で生活あるいは、旅行に行った利用者が嗜好する各ジャンルの施設にどれくらいの所要時間や走行距離をかけてでも訪問するかという情報をセンタで収集することができ、情報提示装置は、地域の交通事情や生活習慣に合った範囲の嗜好情報の提供を受けて、提示することが可能となる。
【００１５】
また、本発明の情報提供システムは、移動所要情報が、訪問した施設への移動時間と、訪問した施設への移動距離の少なくとも一つを含み、移動許容範囲は、現在の嗜好ジャンルで移動に許容できる移動時間と、移動に許容できる移動距離の少なくとも一つを含む構成を有している。
【００１６】
この構成により、施設に移動するのに費やす時間や費やす距離を移動所要情報として蓄積することができ、移動許容範囲として、現在の嗜好ジャンルの施設に行くのに費やしてもよい移動時間や移動距離を利用することができる。
【００１７】
さらに、本発明の情報提供システムは、情報提示装置が、利用者の操作可能な入力手段を含み、入力手段により嗜好ジャンルを設定、あるいは変更することができる構成を有している。この構成により、利用者が必要に応じて、嗜好ジャンルを設定したり、変更したりすることができる。
【００１８】
【発明の実施の形態】
以下、本発明の実施の形態について、図面を用いて詳細に説明する。
【００１９】
（第１の実施の形態）
図１は、本発明の第１の実施の形態における情報提示装置の構成を示すブロック図である。図１に示すように、本実施の形態における情報提示装置は、移動体である車両（図示せず）に搭載され、ＧＰＳ衛星などの測位衛星からの電波を受信して、あるいは車速パルス測定器やジャイロ方位センサの組み合わせなどによって現在位置情報を取得する位置情報取得部１１と、測位衛星からの電波に含まれる日時情報やＲＴＣ（Ｒｅａｌ  Ｔｉｍｅ  Ｃｌｏｃｋ集積回路）（図示せず）によって計測される日時情報を取得する日時情報取得部１２と、地図情報及び施設ジャンルと共に施設情報が格納されている地図施設情報格納部１３と、車両が訪問した施設の訪問履歴情報を訪問した日時情報と訪問した施設への移動時間および移動距離といった移動所要情報とを蓄積する施設訪問履歴蓄積部１４と、日時情報取得部１２で取得した現在の日時情報と施設訪問履歴蓄積部１４に蓄積した訪問履歴情報とに基づき利用者の現在の嗜好ジャンルと現在の嗜好ジャンルに対し利用者が移動に許容できる移動許容範囲とを判定する現在嗜好ジャンル判定部１５と、現在嗜好ジャンル判定部１５で判定された現在の嗜好ジャンルと移動許容範囲と位置情報取得部１１で取得した現在位置情報とに基づいて地図施設情報格納部１３に格納された施設から現在の嗜好条件に適応した施設を選択する施設選択部１６と、施設選択部１６で選択された施設の情報や地図やその他の情報を利用者に画像や音声で出力する情報出力部１７と、各種選択や指示などを手入力あるいは音声入力するための入力部１８と、車両のイグニッションキー（図示せず）の状態及び、位置情報取得部１１による現在位置情報の変化を監視して運転開始及び終了を判定する運転開始終了判定部１９と、これらの各部の連携及び動作を制御する制御部２０を備えている。
【００２０】
次に、本発明の第一の実施の形態における情報提示装置の動作について図２〜図６を用いて説明する。
【００２１】
図２は、本発明の第１の実施の形態における情報提示装置の施設訪問履歴の履歴レコードを示す図であり、図３は、本発明の第１の実施の形態における情報提示装置の嗜好ジャンル選択を示す図であり、図４は、本発明の第１の実施の形態における情報提示装置の施設訪問履歴の履歴レコードの関係を示す図である。
【００２２】
さらに、図５は、本発明の第１の実施の形態における情報提示装置の施設訪問履歴情報を示す図であり、図６は、本発明の第１の実施の形態における情報提示装置の動作を示すフロー図である。
【００２３】
まず、利用者の現在の嗜好ジャンル判定の基となる施設訪問履歴蓄積の動作について説明する。今回の走行では、例えば、利用者が自宅からラーメン屋に行き、その後量販店によって自宅に帰った場合で説明する。利用者が車両の運転を１３時２５分に開始すると、運転開始終了判定部１９が運転開始と判定し、運転開始の出発位置である自宅の位置情報（北緯３４度４５分４３秒・東経１３５度４０分４９秒）を位置情報取得部１１が取得する。
【００２４】
日時情報取得部１２が２００３年０３月０１日の１３時２５分といった日時情報を取得し、それらが施設訪問履歴蓄積部１４に履歴レコードとして蓄積される。そして、第１の目的地であるラーメン屋に到着し、エンジンを停止させると、運転開始終了判定部１９が運転終了と判定する。ラーメン店で食事後、再度、エンジンを掛けると、先と同様に運転開始終了判定部１９は運転の開始と判定して前記履歴レコードに到着位置の位置情報（北緯３４度４２分２０秒、東経１３５度３０分２２秒）とそのエンジンを止めた直前の時点の時刻情報により算出された所要時間０時間２４分と走行距離８．２（ｋｍ）とが書き込まれ蓄積される。
【００２５】
また、同時に新しい履歴レコードが生成され、出発位置情報及び、その他の情報が保持される。この時、運転開始終了判定部１９は、これらの履歴レコードに書き込まれた情報を一連の施設訪問履歴として蓄積すべきかを判定する。つまり、運転者の嗜好情報がその走行から取得できるかどうかということを判定する。
【００２６】
例えば、駐車場で窓を閉め忘れたため、エンジンを掛けてすぐ切った場合や、忘れ物をして取りに帰る場合には、その走行により運転者の出発時の目的は満たされていないまま自宅に戻ってきたと考えられるので、前回エンジン起動時に作成した履歴レコードは破棄される。
【００２７】
次に、施設訪問履歴蓄積部１４による到着位置情報と施設ジャンル情報の対応付けに関して図２を用いて説明する。自宅に関しては予め運転者による登録がなされていれば、対応付けに関しては、該当する緯度・経度の一定の範囲内の例えば北緯３４度４５分４３秒、東経１３５度４０分４９秒）は自動的に自宅と置き換えられる。
【００２８】
また、さらにその周辺については、ジャンル選択の処理が開始されるが、利用者がこの処理を無視あるいは、終了することで自宅への置換が成されるようになっている。また、出発位置のジャンル置換は前回の到着地に関する処理において、取得されたジャンルがそのまま利用されることになる。また、目的地設定がなされていない場合は、次にエンジンを掛けた時点で、情報取得が完了した履歴レコードに関して、その施設ジャンルを利用者から取得するための処理が開始される。
【００２９】
この処理により、正確な利用者の嗜好を蓄積することが可能となる。ジャンルの選択は、例えば、「食べる」「見る遊ぶ」「スポーツ」・・「ホビー」といった階層に対し、「食べる」を選択すると階層を下げて、「ラーメン」「ファミリーレストラン」・・・「寿司」というように、ツリー構造の階層をたどることで詳細な選択が可能となっている。
【００３０】
実際の選択手順は、図３に示すように、利用者が選択するためのジャンルリストの提示を情報出力部１７で行い、入力部１８による手入力や音声入力によって、「食べる」を選択すると、表示階層がさがり、「ラーメン」を選択して成される。ジャンル選択画面や音声入力による入力受付は利用者がジャンル選択の処理を繰り返すにつれて、良く選択するジャンルが表示リストの先頭に来たり、音声認識対象語彙としても優先度が高くなることにより、この操作がより使いやすくなるような構成となっている。
【００３１】
また、目的地設定が成されている場合、設定施設への到着によって、到着時の種種の情報が履歴レコードに書き込まれる。この時、訪問施設の施設ジャンルは地図施設情報格納部１３に格納された施設とその施設ジャンル情報を参照することにより明らかであるので、設定された情報が単純に到着緯度・経度と対応付けがなされる。
【００３２】
もし、目的地設定しているにもかかわらず、目的地ではない地点での駐車が発生した場合、上記で説明した施設ジャンル取得処理が運転者に対して行われる。ここで運転者が施設ジャンルの入力を行った場合は、履歴レコードの作成が完了され、施設訪問履歴として蓄積される。また、入力をせずに終了した場合は、その地点を到着地点情報として扱わないで破棄し、履歴レコードの作成を継続することで、正しく嗜好を取得できるようになっている。
【００３３】
新しい履歴レコードにおけるジャンル置換処理は、出発位置が前回の置換処理の到着処理で取得されたジャンルとなっているため、前回のレコード内の情報をそのまま利用する。また、以前に取得されたジャンル毎の置換処理が行われた緯度・経度情報は施設訪問履歴蓄積部１４にて保持され、今後の対応付けに利用される。
【００３４】
この場合、システム主導的な対話として、こちらのジャンルはラーメンでよろしいですかと問い合わせるような処理が働き、利用者がそれに同意することで、ジャンル置換処理が簡略化される。
【００３５】
そして、図４に示すように第１の履歴レコードは、２００３年０３月０１日、土曜日の１３時２５分に自宅を出発し、所要時間は０時間２４分で、走行距離は８．２ｋｍのラーメン屋に行ったことを示している。第２の履歴レコードは、同日の１５時０４分にラーメン屋を出発し、所要時間は０時間１０分で、走行距離は４．５ｋｍの量販店に行ったことを示している。第３の履歴レコードも同様に、量販店から自宅に戻ったことを示している。
【００３６】
施設訪問履歴蓄積部１４は、施設ジャンルと共に、訪問施設名称も文字入力等で取得し、それぞれのジャンル毎に最頻度の訪問施設名称を管理している。このような手順にて作成が完了した履歴レコードは運転の開始、終了後毎に作成されるが、自宅を基本としてその出発から帰宅までを履歴情報取得−履歴情報登録の１サイクルとして図５の施設訪問履歴情報への履歴の反映が行われ、反映処理に利用された履歴レコードは破棄される。
【００３７】
この施設訪問履歴情報への履歴レコードの反映処理は、自宅を基本とした１サイクル単位の履歴レコード生成が完了した時点で成される。具体的には、図５のように、それらのレコード情報それぞれにより、施設訪問履歴情報内の到着施設のジャンルが検索され、到着時間に該当するマトリクスがカウントアップされる。
【００３８】
さらに、それぞれのジャンルに関して平均所要時間と平均距離が自宅を基本として再計算される。この情報は、自宅を中心としたときのそれぞれの嗜好ジャンル毎の施設までの平均的な移動許容距離や走行許容時間がその利用者にとってどれくらいであるかを把握し、現在の嗜好条件に適応した施設の情報を提供する際の選択の１条件として活用される。
【００３９】
また、施設訪問履歴蓄積部１４によって管理されている施設ジャンル毎の最頻度の訪問施設名称が更新された場合、この情報も合わせて、施設訪問履歴情報に反映する。
【００４０】
次に、実際に嗜好ジャンルに応じた情報が提供されるまでの処理の流れについて図６を用いて説明する。利用者が車のエンジンをかけると、運転開始終了判定部１９が車両の運転開始と判定し、位置情報取得部１１により、出発位置の位置情報が検出され、また、日時情報取得部１２により、日時情報が取得される（Ｓ１０１）。
【００４１】
次に、制御部２０の指示によって取得された位置情報ならびに日時情報が現在嗜好ジャンル判定部１５に渡される。現在嗜好ジャンル判定部１５では、施設訪問履歴蓄積部１４に蓄積されている施設訪問履歴情報に対して、渡された日時情報を基に、時間帯や曜日種別及び総頻度を参考にして、利用者の現在の嗜好ジャンルを判定する（Ｓ１０２）。
【００４２】
例えば、２００３年３月１６日（日）２１：３２に自宅近くの駐車場で車のエンジンが掛けられたとする。すると、施設訪問履歴蓄積部１４の訪問施設履歴情報の参照がなされ、週末の該当時間帯がラーメン屋への訪問が３回と他に比較して多いという情報が確認される。つまり、ラーメンを嗜好しており、移動許容距離は１７ｋｍで、移動許容時間は０時間５５分であると判定される。
【００４３】
次に、施設選択部１６は、日時情報と現在位置情報及び、現在嗜好ジャンル判定部１５で判定した現在の嗜好ジャンルにより、地図施設情報格納部１３の施設情報から、まず嗜好ジャンルにより、施設を絞り込み、さらに、現在位置を中心とした周辺地域の施設に関する情報を抽出することにより（Ｓ１０３）、選択された施設情報が情報出力部１７に画像や音声で出力される（Ｓ１０４）。
【００４４】
具体的には、施設選択部１６は、現在の嗜好条件に含まれるラーメンをキーとして嗜好ジャンルの検索を行い、さらには移動所要情報によるフィルタリングを行うことで地図施設情報格納部１３に含まれる施設の情報の中から適切な範囲内のラーメンに関する情報が取り出される。
【００４５】
このことにより、現在位置情報と現在の嗜好ジャンルへの移動許容時間及び、移動許容距離の情報を活用してさらに時間的、距離的に情報のフィルタリングを掛けることが可能となる。つまり、嗜好に応じたジャンルであり、現在位置を中心としての周辺地域の施設だけを抽出することが可能となっている。
【００４６】
以上のように、本発明の第１の実施の形態の情報提示装置は、現在の日時情報に基づいて利用者の現在の嗜好ジャンルを判定し、判定した嗜好ジャンルとそのジャンルにおける移動許容時間と移動許容距離と利用者の現在位置とに適応した施設情報を、施設の近くを走行しなくても利用者に出力することができる。
【００４７】
（第２の実施の形態）
図７は、本発明の第２の実施の形態における情報提示装置、センタ及び情報提供システムの構成を示すブロック図である。図７において、図１と同じ構成については同じ符号を用い、説明を省略する。
【００４８】
本実施の形態では、情報提示装置１０とセンタ４０とで情報提供システムを構成している。
【００４９】
以上のように構成された情報提供システムにおいて、情報提示装置１０は、ネットワーク３０を介してセンタ４０と通信を行なう通信部２１を備え、センタ４０は、施設の情報を格納した施設情報格納部４１と、ネットワーク３０を介して情報提示装置１０と通信を行なう通信部４２と、通信部４２で受信した現在の嗜好条件に適応した施設を選択する施設選択部４３と、これらの各部の連携及び動作を制御する制御部４４とを備えている。
【００５０】
次に、本発明の第２の実施の形態における情報提供システムについて、その動作を図８〜図１１を用いて説明する。図８は、本発明の第２の実施の形態における情報提供システムの動作を示すフロー図であり、図９は、本発明の第２の実施の形態における情報提示装置の現在の嗜好条件を示す図であり、図１０は、本発明の第２の実施の形態における選択された施設を示す図であり、図１１は、本発明の第２の実施の形態における選択された施設の表示例を示す図である。
【００５１】
利用者の現在の嗜好ジャンル判定の基となる施設訪問履歴蓄積の動作と、施設訪問履歴蓄積部１４による到着位置情報と施設ジャンル情報の対応付けとについては、実施の形態１と同様である。
【００５２】
次に、嗜好ジャンルに応じた情報が提供されるまでの処理の流れについて図９を用いて説明する。本実施の形態のステップ２０１およびステップ２０２は、本発明の第１の実施の形態のステップ１０１およびステップ１０２と同様であるので、その説明を省略する。
【００５３】
次に、図９に示すような現在の嗜好条件を、通信部２１からネットワーク３０を介して、センタ４０に送信する（Ｓ２０３）。センタ４０では、通信部４２が、情報提示装置１０から送信された現在の嗜好条件を受信すると（Ｓ２０４）、制御部４４の制御により、施設選択部４３は、現在の嗜好条件である日時情報と現在位置情報及び、現在の嗜好ジャンルに基づいて、施設情報格納部４１の施設情報から、まず嗜好ジャンルにより、施設を絞り込み、さらに、現在位置を中心とした周辺地域の施設に関する情報を抽出し、適応する施設を選択する（Ｓ２０５）。
【００５４】
ここでは、図１０に示すように、現在位置情報を基に、現在の嗜好ジャンルに関する移動許容時間及び移動許容距離を基に範囲内の周辺地域の情報だけを現在位置から近い順に整列された状態で取得し、さらに、最終的には抽出された情報の中でも人気ランキングの高いものかつ現在位置から近いものの上位数件の情報を選択する。
【００５５】
但し、この嗜好情報送信要求を取得した日時情報と比較して、定休日の施設や、交通情報や現在位置からの距離などを考慮して営業時間内に到着できない施設は提供情報から除外する。選択された施設情報を通信部４２から、情報提示装置１０に送信する（Ｓ２０６）。
【００５６】
情報提示装置１０では、通信部２１がセンタ４０から送信された施設情報を受信すると（Ｓ２０７）、制御部２０を介して、取得情報蓄積部１４は通信部２１が受信した施設情報を蓄積し、情報出力部１７から図１１に示すような情報を画像や音声で出力することができる（Ｓ２０８）。
【００５７】
以上のように、本発明の第２の実施の形態の情報提供システムは、情報提示装置１０において、現在の日時情報に基づいて利用者の現在の嗜好ジャンルを判定し、判定した嗜好ジャンルとそのジャンルにおける移動許容時間と移動許容距離と利用者の現在位置とを現在の嗜好条件としてセンタ４０に送信し、センタ４０は情報提示装置１０より送られた現在の嗜好条件に適応した複数の施設を、センタ４０が有する最新の施設情報に基づいて選択し、選択した施設情報を情報提示装置１０に送信し、情報提示装置１０は、センタ４０から送られた現在の嗜好条件に適応する施設の情報を、施設の近くを走行しなくても利用者に出力することができる。
【００５８】
なお、施設情報格納部４１における嗜好ジャンル毎の人気ランキングであるが、施設情報格納部４１に保存されている長期的な情報やネットワークを介して提供される第３者調査機関による情報に加えて、本情報提供システムの複数の情報提示装置から受信した複数の利用者の嗜好情報を嗜好ジャンル毎に施設情報と位置情報とに基づいて管理する運転者嗜好情報管理手段を施設情報格納部４１が備える構成にしてもよい。
【００５９】
情報提示装置１０の施設訪問履歴蓄積部１４では、嗜好ジャンル毎の最頻度の訪問施設名称が保持されている。この最頻度の訪問施設名称の変更がなされた場合に、図９で示したような現在の嗜好条件に、変更後の最頻度の訪問施設名称を格納し、更新フラグを１にして、センタ４０に送信する。通信部４２では、受信した嗜好条件の更新フラグが１になっている場合、最頻度施設名をその位置情報と共に施設情報格納部４１に渡す。
【００６０】
施設情報格納部４１では、複数の利用者の嗜好ジャンル毎の最頻度施設名称及びその位置情報を取得することで、これらの情報を加味して図１０に示されるようなランキング情報を管理してもよい。
【００６１】
（第３の実施の形態）
図１２は、本発明の第３の実施の形態における情報提示装置、センタ及び情報提供システムの構成を示すブロック図である。図１２において、図７と同じ構成については同じ符号を用い、説明を省略する。
【００６２】
本実施の形態では、センタ４０があらかじめ定めた地域別に複数の情報提示装置の利用者から送信された嗜好条件を記憶する地域別嗜好条件記憶部４５をさらに備えている。
【００６３】
次に、本発明の第３の実施の形態における情報提供システムについて、その動作を図１３を用いて説明する。図１３は、本発明の第３の実施の形態における情報提供システムの動作を示すフロー図である。
【００６４】
本発明の第２の実施の形態と同様に、情報提示装置１０の施設訪問履歴蓄積部１４は、利用者の施設訪問履歴及びその施設への移動距離または所要時間もしくは双方を施設訪問情報として嗜好ジャンル別に集計して蓄積している。本実施の形態では、あらかじめ定めたタイミングで、情報提示装置１０の行動基点となる、例えば自宅の位置情報と、施設訪問情報をセンタ４０に送信する。
【００６５】
センタ４０では、地域別嗜好条件記憶部４５が、通信部４２で受信した行動基点の位置情報を、施設情報格納部４１の施設情報における地域のどれに該当するか特定し、特定した地域別で、さらに施設ジャンル別に、受信した施設訪問情報を蓄積する構成となっている。本実施の形態の情報提供システムを構成する情報提示装置が広い地域に存在し、かつ、その台数が多ければ、センタでは、地域別かつ施設ジャンル別の施設訪問情報を多数記憶しておくことができる。
【００６６】
本実施の形態のステップ３０１〜ステップ３０３は、本発明の第２の実施の形態のステップ２０１〜ステップ２０３と同様であるので、その説明を省略する。
【００６７】
センタ４０では、通信部４２が、情報提示装置１０から送信された現在の嗜好条件を受信すると（Ｓ３０４）、制御部４４の制御により、施設選択部４３は、まず、現在位置情報に基づいて、現在の位置を含む地域を特定する。
【００６８】
次に、地域別嗜好条件記憶部４５から、特定された地域での、現在の嗜好条件中の現在の嗜好ジャンルで許容される移動許容時間および移動許容距離を抽出し、抽出した移動許容条件と現在の嗜好ジャンルと現在の日時情報とに基づき、施設情報格納部４１の施設情報から適応する施設を選択する（Ｓ３０５）。以降の動作（Ｓ３０６〜Ｓ３０８）は実施の形態２と同様なので、その説明を省略する。
【００６９】
以上のように、本発明の第３の実施の形態の情報提供システムは、センタ４０の施設選択部４３が通信部４２により受信した現在の位置情報及び嗜好ジャンルを基に地域別嗜好条件記憶部４５に蓄積された移動許容時間、または移動許容距離、あるいは双方を基に施設情報格納部４１に格納された施設情報から適応する施設を選択するように動作することにより、地域ごとに収集されたそれぞれの施設ジャンルにどれくらいの時間、あるいは移動距離でも行きたいかということに基づいて、個々の利用者がフィルタリングされた情報提供を受けることができる。
【００７０】
実際にその地域で生活したり、あるいは、旅行に行った人がそれぞれの施設ジャンルではどれくらいの所要時間や走行距離をかけてでも該当する施設に訪問するかという情報をセンタ側で収集することができ、地域の交通事情や生活習慣に合った範囲の嗜好情報の提供が可能となるという効果が得られる。
【００７１】
【発明の効果】
以上説明したように、本発明は、移動体が訪問した施設の訪問履歴情報を訪問した日時情報と移動所要情報と共に施設訪問履歴蓄積手段に蓄積し、日時情報取得手段で取得した現在の日時情報と施設訪問履歴蓄積手段に蓄積した訪問履歴情報とに基づき利用者の現在の嗜好ジャンルと現在の嗜好ジャンルに対し利用者が移動に許容できる移動許容範囲とを現在嗜好ジャンル判定手段で判定し、現在嗜好ジャンル判定手段で判定された現在の嗜好ジャンルと移動許容範囲と位置情報取得手段で取得した現在位置情報とに基づいて施設情報格納手段に格納された施設から現在の嗜好条件に適応した施設を施設選択手段で選択し、施設選択手段で選択された施設の情報を情報出力手段で利用者に出力することにより、運転開始の時点、あるいは、情報が必要と判断した時点で、利用者の現在の嗜好ジャンルに応じた移動許容範囲内の施設情報の提示を行うことができるという効果を有する情報提示装置を提供することができる。
【図面の簡単な説明】
【図１】本発明の第１の実施の形態における情報提示装置の構成を示すブロック図
【図２】本発明の第１の実施の形態における情報提示装置の施設訪問履歴の履歴レコードを示す図
【図３】本発明の第１の実施の形態における情報提示装置の嗜好ジャンル選択を示す図
【図４】本発明の第１の実施の形態における情報提示装置の施設訪問履歴の履歴レコードの関係を示す図
【図５】本発明の第１の実施の形態における情報提示装置の施設訪問履歴情報を示す図
【図６】本発明の第１の実施の形態における情報提示装置の動作を示すフロー図
【図７】本発明の第２の実施の形態における情報提示装置、センタ及び情報提供システムの構成を示すブロック図
【図８】本発明の第２の実施の形態における情報提供システムの動作を示すフロー図
【図９】本発明の第２の実施の形態における情報提示装置の現在の嗜好条件を示す図
【図１０】本発明の第２の実施の形態における選択された施設を示す図
【図１１】本発明の第２の実施の形態における選択された施設の表示例を示す図
【図１２】本発明の第３の実施の形態における情報提示装置、センタ及び情報提供システムの構成を示すブロック図
【図１３】本発明の第３の実施の形態における情報提供システムの動作を示すフロー図
【符号の説明】
１０  情報提示装置
１１  位置表示取得部
１２  日時情報取得部
１３  地図施設情報格納部
１４  取得情報蓄積部
１５  現在嗜好ジャンル判定部
１６、４３  施設選択部
１７  情報出力部
１８  入力部
１９  運転開始終了判定部
２０、４４  制御部
２１、４２  通信部
３０  ネットワーク
４０  センタ
４１  施設情報格納部
４５  地域別嗜好条件記憶部
【図１】
2005010080.tif 000003
【図２】
2005010080.tif 000004
【図３】
2005010080.tif 000005
【図４】
2005010080.tif 000006
【図５】
2005010080.tif 000007
【図６】
2005010080.tif 000008
【図７】
2005010080.tif 000009
【図８】
2005010080.tif 000010
【図９】
2005010080.tif 000011
【図１０】
2005010080.tif 000012
【図１１】
2005010080.tif 000013
【図１２】
2005010080.tif 000014
【図１３】
2005010080.tif 000015